【手続補正書】
【提出日】平成23年6月1日(2011.6.1)
【手続補正１】
【補正対象書類名】特許請求の範囲
【補正対象項目名】全文
【補正方法】変更
【補正の内容】
【特許請求の範囲】
【請求項１】
支持体及び該支持体上に設けられた電荷発生物質を含有する電荷発生層、及び該電荷発生層上に設けられた電荷輸送性化合物を含有する電荷輸送層を有する電子写真感光体において、該電荷輸送層が炭素数６以上１０以下のアルキル基を有する電荷輸送性化合物と、ポリスチレン樹脂又はポリフェニレンオキシド樹脂とを含有することを特徴とする電子写真感光体。
【請求項２】
前記電荷輸送層が前記炭素数６以上１０以下のアルキル基を有する電荷輸送性化合物と、前記ポリフェニレンオキシド樹脂とを含有する請求項１に記載の電子写真感光体。
【請求項３】
前記炭素数６以上１０以下のアルキル基を有する電荷輸送性化合物が、下記一般式（１）で示される化合物である請求項１または２に記載の電子写真感光体。
【化１】
2010002697.tif 000001
（上記式（１）中、Ｒ１〜Ｒ１５は、それぞれ独立に、置換基を有してもよいアルキル基、置換基を有してもよいアラルキル基又は置換基を有してもよいアリール基を示す。ただし、Ｒ１〜Ｒ１５のうち少なくとも１つは、炭素数６以上１０以下のアルキル基を示す。）
【請求項４】
前記炭素数６以上１０以下のアルキル基を有する電荷輸送性化合物が、下記一般式（２）で示される化合物である請求項１または２に記載の電子写真感光体。
【化２】
2010002697.tif 000002
（上記式（２）中、Ｒ１０１〜Ｒ１２８は水素原子、置換基を有してもよいアルキル基を示す。更に、Ｒ１０１〜Ｒ１２０の少なくとも２つは、炭素数６〜１０のアルキル基である。ただし、同一ベンゼン環上には、２つ以上の炭素数６〜１０のアルキル基を有さない。Ｘは下記群より選ばれる構造を有する。）
【化３】
2010002697.tif 000003
【請求項５】
前記炭素数６以上１０以下のアルキル基を有する電荷輸送性化合物が、下記一般式（３）で示される化合物である請求項１または２に記載の電子写真感光体。
【化４】
2010002697.tif 000004
（上記式（３）中、Ｒ２０１〜Ｒ２２０は水素原子、置換基を有してもよいアルキル基を示し、少なくとも２つは炭素数６〜１０のアルキル基である。ただし、同一ベンゼン環上には、２つ以上の炭素数６〜１０のアルキル基を同時には有さない。Ｙは下記群より選ばれる構造を有する。）
【化５】
2010002697.tif 000005
（上記Ｒ２１〜Ｒ２３は、メチル基又はエチル基を示す。）
【請求項６】
前記炭素数６以上１０以下のアルキル基を有する電荷輸送性化合物が、下記一般式（４）で示される化合物である請求項１または２に記載の電子写真感光体。
【化６】
2010002697.tif 000006
（上記式（４）中、Ｒ３０１〜Ｒ３１０のうち少なくとも１つは炭素数６〜１０のアルキル基である。炭素数６〜１０のアルキル基でないものは、水素原子、置換基を有してもよいアルキル基又は置換基を有してもよいアルコキシ基である。また、それぞれが互いに結合して芳香環を成していてもよい。Ｒ３１１は置換基を有してもよい芳香族基であり、有してよい置換基は、メチル基、エチル基、ハロゲン基、無置換若しくはメチル基を有するジアルキルアミノ基（アルキル基の炭素数は２以下）、ベンジルアルキルアミノ基（アルキル基の炭素数は２以下）、ジベンジルアミノ基、アルキルアリールアミノ基（アルキル基の炭素数は２以下）又はジアリールアミノ基である。）
【請求項７】
前記電荷輸送層が下記一般式（５）で示される化合物を更に含有することを特徴とする請求項１乃至６のいずれか１項に記載の電子写真感光体。
【化７】
2010002697.tif 000007
（式（５）中、Ｒ４０１は炭素数５〜２０のアルキル基を示す。Ｒ４０２〜Ｒ４０６は、それぞれ独立に、水素原子、アルコキシ基、水酸基、ハロゲン基、アミノ基、置換基を有してもよいアルキル基、置換基を有してもよいアラルキル基又は置換基を有してもよいアリール基を示す。ＺはＯ、Ｃ＝Ｏ、ＣＯＯ又は単結合を示す。）
【請求項８】
上記一般式（５）の構造を有する化合物が下記一般式（６）である請求項１乃至７のいずれか１項に記載の電子写真感光体。
【化８】
2010002697.tif 000008
（式（６）中、Ｒ５０１は炭素数５〜１２のアルキル基を表す。）
【請求項９】
前記電荷輸送層上に更に保護層を有する請求項１乃至８のいずれか１項に記載の電子写真感光体。
【請求項１０】
前記保護層は、同一分子内に二つ以上の連鎖重合性官能基を有する正孔輸送性化合物又は該正孔輸送性化合物を熱、光、若しくは放射線を用いて重合若しくは架橋することにより硬化した化合物の少なくとも一方を含有することを特徴とする請求項９に記載の電子写真感光体。
【請求項１１】
請求項１乃至１０のいずれか１項に記載の電子写真感光体と、該電子写真感光体を帯電させる帯電手段、静電潜像の形成された電子写真感光体をトナーで現像する現像手段、電子写真感光体上のトナー像を転写材上に転写する転写手段及び転写工程後の電子写真感光体上に残余するトナーを回収するクリーニング手段からなる群より選択される少なくとも１つの手段とを共に一体に支持し、電子写真装置本体に着脱自在であるプロセスカートリッジ。
【請求項１２】
請求項１乃至１０のいずれか１項に記載の電子写真感光体、該電子写真感光体を帯電させる帯電手段、静電潜像の形成された電子写真感光体をトナーで現像する現像手段及び電子写真感光体上のトナー像を転写材上に転写する転写手段を備えることを特徴とする電子写真装置。
【手続補正２】
【補正対象書類名】明細書
【補正対象項目名】０１９５
【補正方法】変更
【補正の内容】
【０１９５】
（実施例５３〜６２、参考例６３、６４）
実施例３５において、電荷輸送層に用いた例示化合物１−１をそれぞれ表７に示すものに変更しポリαメチルスチレン樹脂をポリフェニレンエーテル樹脂（ザイロン、旭ケミカル社製）に変えた以外は、実施例３５と同様にして電子写真感光体５３〜６２を作製した。結果を表７に示す。
【手続補正３】
【補正対象書類名】明細書
【補正対象項目名】０１９７
【補正方法】変更
【補正の内容】
【０１９７】
（実施例６６）
実施例６５において、更に例示化合物５−２を１部加えた以外は、実施例６５と同様にして電子写真感光体を作製した。結果を表７に示す。
【手続補正４】
【補正対象書類名】明細書
【補正対象項目名】０１９８
【補正方法】変更
【補正の内容】
【０１９８】
（実施例６７）
実施例６５において、更に例示化合物５−２を２部加えた以外は、実施例６５と同様にして電子写真感光体を作製した。結果を表７に示す。
【手続補正５】
【補正対象書類名】明細書
【補正対象項目名】０１９９
【補正方法】変更
【補正の内容】
【０１９９】
（実施例６８）
実施例６５において、更に例示化合物５−２を４部加えた以外は、実施例６５と同様にして電子写真感光体を作製した。結果を表７に示す。
【手続補正６】
【補正対象書類名】明細書
【補正対象項目名】０２００
【補正方法】変更
【補正の内容】
【０２００】
（実施例６９）
実施例６５において、更に例示化合物５−２を６部加えた以外は、実施例６５と同様にして電子写真感光体を作製した。結果を表７に示す。
【手続補正７】
【補正対象書類名】明細書
【補正対象項目名】０２０１
【補正方法】変更
【補正の内容】
【０２０１】
（実施例７０）
実施例６５において、更に例示化合物５−２を８部加えた以外は、実施例６５と同様にして電子写真感光体を作製した。結果を表７に示す。
【手続補正８】
【補正対象書類名】明細書
【補正対象項目名】０２０２
【補正方法】変更
【補正の内容】
【０２０２】
（実施例７１）
実施例６７において、例示化合物５−２を例示化合物５−４に変えた以外は、実施例６７と同様にして電子写真感光体を作製した。結果を表７に示す。
【手続補正９】
【補正対象書類名】明細書
【補正対象項目名】０２０３
【補正方法】変更
【補正の内容】
【０２０３】
（実施例７２）
実施例６７において、例示化合物５−２を例示化合物５−１２に変えた以外は、実施例６７と同様にして電子写真感光体を作製した。結果を表７に示す。
【手続補正１０】
【補正対象書類名】明細書
【補正対象項目名】０２０４
【補正方法】変更
【補正の内容】
【０２０４】
（実施例７３）
実施例６７において、例示化合物５−２を例示化合物５−３２に変えた以外は、実施例６７と同様にして電子写真感光体を作製した。結果を表７に示す。
【手続補正１１】
【補正対象書類名】明細書
【補正対象項目名】０２０５
【補正方法】変更
【補正の内容】
【０２０５】
（実施例７４）
実施例６７において、例示化合物５−２を例示化合物５−３４に変えた以外は、実施例６７と同様にして電子写真感光体を作製した。結果を表７に示す。
【手続補正１２】
【補正対象書類名】明細書
【補正対象項目名】０２０６
【補正方法】変更
【補正の内容】
【０２０６】
（実施例７５）
実施例６７において、例示化合物５−２を例示化合物５−４４に変えた以外は、実施例６７と同様にして電子写真感光体を作製した。結果を表７に示す。